(57)【特許請求の範囲】
【請求項１】
物干し竿受け管（１２）又は物干し竿受け板（１５）へ着脱自在に取り付け固定される取付ベース（Ｂ）と、その取付ベース（Ｂ）との交叉組立状態にある脚受け筒（１６）とを備えたアダプター（Ａ）と、
物干し竿（１０）への吊り掛けフック（５２）と、そのフック（５２）から吊り下がる１個又は複数のハンガーアーム（５３）と、その各ハンガーアーム（５３）に付属する洗濯物挟持用クリップ（５４）とを備えた物干しハンガー（Ｈ）との組から成る物干し用具セットであって、
上記アダプター（Ａ）の取付ベース（Ｂ）と脚受け筒（１６）とを、その交叉角度（θ）の調整可能に組み立て固定すると共に、
上記物干しハンガー（Ｈ）側の吊り掛けフック（５２）から一定長さだけ垂下させた中棒脚（５５）を、上記アダプター（Ａ）側の脚受け筒（１６）へ上方から抜き差し自在に差し込み使用できるように定めたことを特徴とする物干し用具セット。
【請求項２】
アダプター（Ａ）の取付ベース（Ｂ）と脚受け筒（１６）に各々円形の角度調整板（２３ａ）（２３ｂ）（４１ａ）（４１ｂ）を固着一体化すると共に、その両角度調整板（２３ａ）（２３ｂ）（４１ａ）（４１ｂ）の互いに同じ半径での回動軌跡上に沿って各々複数の角度調整孔（２２ａ）（２２ｂ）（４０ａ）（４０ｂ）を開口形成して、
上記角度調整板（２３ａ）（２３ｂ）（４１ａ）（４１ｂ）を相対的に回動させて、その合致連通した角度調整孔（２２ａ）（２２ｂ）（４０ａ）（４０ｂ）へ差し込んだ貫通ボルト（２４）（４２）とその固定ナット（２５）（４３）により、上記アダプター（Ａ）の取付ベース（Ｂ）に対する脚受け筒（１６）の組立交叉角度（θ）を、その脚受け筒（１６）が常に垂直の姿勢状態となるように調整できるように定めたことを特徴とする請求項１記載の物干し用具セット。
【請求項３】
アダプター（Ａ）の取付ベース（Ｂ）を、庭やベランダなどの地面に据え立てられた支柱（１１）の物干し竿受け管（１２）へ、抱き付く開閉自在に枢支連続された挟持クランプ（１８ａ）（１８ｂ）として形作るか、又はベランダの手摺り（１３）に取り付けられた昇降可能な支柱（１４）から片持ち状態に張り出す物干し竿受け板（１５）へ、抜き差し自在に差し込み固定し得るリップ付きチャンネル溝形のカバー（３８）として形作ったことを特徴とする請求項２記載の物干し用具セット。
【請求項４】
アダプター（Ａ）の取付ベース（Ｂ）を、庭やベランダなどの地面に据え立てられた支柱（１１）の物干し竿受け管（１２）へ、抱き付け状態に挟持固定し得る別個な一対の挟持板（２７ａ）（２７ｂ）として形作るか、又はベランダの手摺り（１３）に取り付けられた昇降可能な支柱（１４）から片持ち状態に張り出す物干し竿受け板（１５）へ、抜き差し自在に差し込み固定し得る角筒形のカバー（４４）として形作ると共に、
上記両挟持板（２７ａ）（２７ｂ）の何れか一方又は上記角筒形カバー（４４）の片側面から、一定間隔（Ｒ）を保つ前後一対のスタッドボルト（３０）（３１）（４６）（４７）を平行に突設する一方、
その一方のスタッドボルト（３０）（４６）を受け入れる回動中心孔（３３）（４９）と、他方のスタッドボルト（３１）（４７）を受け入れ選択する複数の角度調整孔（３４）（５０）とが開口分布されたほぼ半円形角度調整板（３５）（５１）のストレートな基端縁部を、上記アダプター（Ａ）の脚受け筒（１６）へ固着一体化して、
上記角度調整板（３５）（５１）の回動中心孔（３３）（４９）に受け入れた一方のスタッドボルト（３０）（４６）を枢支点とし、上記スタッドボルト（３０）（３１）（４６）（４７）同士の一定間隔（Ｒ）を回動半径として、その角度調整板（３５）（５１）を上記取付ベース（Ｂ）である一対の挟持板（２７ａ）（２７ｂ）又は角筒形カバー（４４）との相対的に回動させ、
上記枢支点となる一方のスタッドボルト（３０）（４６）と、上記角度調整孔（３４）（５０）へ択一的に受け入れた他方のスタッドボルト（３１）（４７）とに、各々固定ナット（３２）（４８）を締結することにより、上記アダプター（Ａ）の取付ベース（Ｂ）に対する脚受け筒（１６）の組立交叉角度（θ）を、その脚受け筒（１６）が常に垂直の姿勢状態となるように調整できるように定めたことを特徴とする請求項１記載の物干し用具セット。
【請求項５】
物干しハンガー（Ｈ）における中棒脚（５５）の下端部に吊り環又は水平な貫通孔（７４）を設けて、その吊り環又は貫通孔（７４）へ別個な物干しハンガー（Ｈ）の吊り掛けフック（５２）を係脱自在に係止させることにより、複数の物干しハンガー（Ｈ）を継ぎ足し使用できるように定めたことを特徴とする請求項１記載の物干し用具セット。
【請求項６】
物干しハンガー（Ｈ）の中棒脚（５５）をアダプター（Ａ）の脚受け筒（１６）へ差し込む深さの規制ストッパー（７３）を、その中棒脚（５５）の下端部付近から外向き一体的に張り出すか、又は上記脚受け筒（１６）の下端部から内向き一体的に張り出したことを特徴とする請求項１記載の物干し用具セット。
【請求項７】
物干しハンガー（Ｈ）の吊り掛けフック（５２）から垂下する中棒脚（５５）の上端部を固定上ロクロ（５６）として、その上ロクロ（５６）にハンガーアーム（５３）の根元部を各々起伏的な回動自在に枢着し、
同じく中棒脚（５５）の中途高さ位置に昇降下ロクロ（５８）を差し込み套嵌させて、その下ロクロ（５８）の上端部と各ハンガーアーム（５３）の中間部とを、アーム支持骨（５９）によって枢支連結すると共に、
上記ハンガーアーム（５３）を悉くほぼ水平な張り出し状態に展開させるべく、押し上げ操作した昇降下ロクロ（５８）と係脱自在に係止する下降防止用上ハジキ（６３）と、同じくハンガーアーム（５３）を悉くほぼ垂直の伏倒状態に折りたたむべく、逆に引き下げ操作した昇降下ロクロ（５８）と係脱自在に係止する上昇防止用下ハジキ（６９）とを、その爪部（６４）（７０）が何れも上記物干しハンガー（Ｈ）の中棒脚（５５）から露出し得るように、その中棒脚（５５）へ出没自在に組み込んだことを特徴とする請求項１記載の物干し用具セット。
【請求項８】
昇降下ロクロ（５８）の下端部付近に上昇防止用下ハジキ（６９）の爪部受け入れ係止孔（６８）を切り欠くと共に、
その昇降下ロクロ（５８）の中途高さ位置から張り出し形成した径大な円形フランジ（６６）の周縁部に、ほぼ垂直の伏倒状態に折りたたまれた各ハンガーアーム（５３）の受け止め凹溝（６７）を切り欠いたことを特徴とする請求項７記載の物干し用具セット。
【発明の詳細な説明】
【技術分野】
【０００１】
本発明は庭やベランダ、その他の限られた狭いスペースでも、物干し竿を増設することなく、多量の洗濯物を干すことができる便利な物干し用具セットに関する。
【背景技術】
【０００２】
従来の物干しハンガーは物干し竿から吊り下げ使用され、洗濯物を干す場所がその物干し竿の下部空間に限られている。そのため、洗濯物が多量である場合には、干す場所が不足することになる。また、洗濯物が物干し竿の下部空間に密集する結果、その洗濯物の日当りや通気性が悪く、短時間での効率良く乾燥することができない。
【０００３】
そこで、多量の洗濯物を効率良く乾燥させるために、物干し竿を増設するとすれば、その新らたな支柱の設置スペースが必要となり、戸建て住宅の狭い庭や集合住宅（マンション）の狭いベランダなどでは、実際上困難である。洗濯物の量は毎日同じではないから、物干し竿を増設しても使用しないことが頻発し、折角の限られたスペースが無駄になってしまう。
【０００４】
この点、下記特許文献１〜３には多量の洗濯物を干すことに役立つ物干し用具が開示されている。
【先行技術文献】
【特許文献】
【０００５】
【特許文献１】実用新案登録第３００７６２９号公報
【特許文献２】実用新案登録第３１２０８０８号公報
【特許文献３】特開２００７−２９６７７号公報
【発明の概要】
【発明が解決しようとする課題】
【０００６】
ところが、上記特許文献１に開示の物干し用具では、狭い設置スペースで足りる利点があるとしても、既設の支柱やその支柱の物干し竿受け管又は物干し竿受け板などを全然利用しておらず、その全体が新らたな特別のテレスコピック式として、複数の物干しハンガーを組立連結しなければならず、またユーザーにおいて使用上毎度昇降操作しなければならないため、甚だ煩らわしく、量産効果を期待することもできない。
【０００７】
他方、上記特許文献２に開示の物干し用具はその物干しハンガーの多連式として、洗濯物の取り込みを容易に行なえるとしても、物干し竿から吊り下げ使用されることに変りはなく、洗濯物を干す場所が依然として物干し竿の下部空間に限られているため、その物干し竿を増設しなければ、多量の洗濯物に対応することができない。
【０００８】
更に、上記特許文献３に開示の物干し用具はその物干しハンガーの複数を継ぎ足せるとしても、やはり物干し竿から吊り下げ使用されることに変りはないため、特許文献２の物干し用具と同様な上記問題があり、限られた狭いスペースを有効に利用するものではない。
【課題を解決するための手段】
【０００９】
本発明はこのような課題の改良を目的としており、その目的を達成するために、請求項１では物干し竿受け管又は物干し竿受け板へ着脱自在に取り付け固定される取付ベースと、その取付ベースとの交叉組立状態にある脚受け筒とを備えたアダプターと、
【００１０】
物干し竿への吊り掛けフックと、そのフックから吊り下がる１個又は複数のハンガーアームと、その各ハンガーアームに付属する洗濯物挟持用クリップとを備えた物干しハンガーとの組から成る物干し用具セットであって、
【００１１】
上記アダプターの取付ベースと脚受け筒とを、その交叉角度の調整可能に組み立て固定すると共に、
【００１２】
上記物干しハンガー側の吊り掛けフックから一定長さだけ垂下させた中棒脚を、上記アダプター側の脚受け筒へ上方から抜き差し自在に差し込み使用できるように定めたことを特徴とする。
【００１３】
又、請求項２ではアダプターの取付ベースと脚受け筒に各々円形の角度調整板を固着一体化すると共に、その両角度調整板の互いに同じ半径での回動軌跡上に沿って各々複数の角度調整孔を開口形成して、
【００１４】
上記角度調整板を相対的に回動させて、その合致連通した角度調整孔へ差し込んだ貫通ボルトとその固定ナットにより、上記アダプターの取付ベースに対する脚受け筒の組立交叉角度を、その脚受け筒が常に垂直の姿勢状態となるように調整できるように定めたことを特徴とする。
【００１５】
請求項３ではアダプターの取付ベースを、庭やベランダなどの地面に据え立てられた支柱の物干し竿受け管へ、抱き付く開閉自在に枢支連続された挟持クランプとして形作るか、又はベランダの手摺りに取り付けられた昇降可能な支柱から片持ち状態に張り出す物干し竿受け板へ、抜き差し自在に差し込み固定し得るリップ付きチャンネル溝形のカバーとして形作ったことを特徴とする。
【００１６】
請求項４ではアダプターの取付ベースを、庭やベランダなどの地面に据え立てられた支柱の物干し竿受け管へ、抱き付け状態に挟持固定し得る別個な一対の挟持板として形作るか、又はベランダの手摺りに取り付けられた昇降可能な支柱から片持ち状態に張り出す物干し竿受け板へ、抜き差し自在に差し込み固定し得る角筒形のカバーとして形作ると共に、
【００１７】
上記両挟持板の何れか一方又は上記角筒形カバーの片側面から、一定間隔を保つ前後一対のスタッドボルトを平行に突設する一方、
【００１８】
その一方のスタッドボルトを受け入れる回動中心孔と、他方のスタッドボルトを受け入れ選択する複数の角度調整孔とが開口分布されたほぼ半円形角度調整板のストレートな基端縁部を、上記アダプターの脚受け筒へ固着一体化して、
【００１９】
上記角度調整板の回動中心孔に受け入れた一方のスタッドボルトを枢支点とし、上記スタッドボルト同士の一定間隔を回動半径として、その角度調整板を上記取付ベースである一対の挟持板又は角筒形カバーとの相対的に回動させ、
【００２０】
上記枢支点となる一方のスタッドボルトと、上記角度調整孔へ択一的に受け入れた他方のスタッドボルトとに、各々固定ナットを締結することにより、上記アダプターの取付ベースに対する脚受け筒の組立交叉角度を、その脚受け筒が常に垂直の姿勢状態となるように調整できるように定めたことを特徴とする。
【００２１】
請求項５では物干しハンガーにおける中棒脚の下端部に吊り環又は水平な貫通孔を設けて、その吊り環又は貫通孔へ別個な物干しハンガーの吊り掛けフックを係脱自在に係止させることにより、複数の物干しハンガーを継ぎ足し使用できるように定めたことを特徴とする。
【００２２】
請求項６では物干しハンガーの中棒脚をアダプターの脚受け筒へ差し込む深さの規制ストッパーを、その中棒脚の下端部付近から外向き一体的に張り出すか、又は上記脚受け筒の下端部から内向き一体的に張り出したことを特徴とする。
【００２３】
請求項７では物干しハンガーの吊り掛けフックから垂下する中棒脚の上端部を固定上ロクロとして、その上ロクロにハンガーアームの根元部を各々起伏的な回動自在に枢着し、
【００２４】
同じく中棒脚の中途高さ位置に昇降下ロクロを差し込み套嵌させて、その下ロクロの上端部と各ハンガーアームの中間部とを、アーム支持骨によって枢支連結すると共に、
【００２５】
上記ハンガーアームを悉くほぼ水平な張り出し状態に展開させるべく、押し上げ操作した昇降下ロクロと係脱自在に係止する下降防止用上ハジキと、同じくハンガーアームを悉くほぼ垂直の伏倒状態に折りたたむべく、逆に引き下げ操作した昇降下ロクロと係脱自在に係止する上昇防止用下ハジキとを、その爪部が何れも上記物干しハンガーの中棒脚から露出し得るように、その中棒脚へ出没自在に組み込んだことを特徴とする。
【００２６】
更に、請求項８では昇降下ロクロの下端部付近に上昇防止用下ハジキの爪部受け入れ係止孔を切り欠くと共に、
【００２７】
その昇降下ロクロの中途高さ位置から張り出し形成した径大な円形フランジの周縁部に、ほぼ垂直の伏倒状態に折りたたまれた各ハンガーアームの受け止め凹溝を切り欠いたことを特徴とする。
【発明の効果】
【００２８】
請求項１の構成によれば、戸建て住宅の庭やベランダなどの地面に据え立てられた支柱の上端部から屈曲するほぼ水平な物干し竿受け管か、又は集合住宅（マンション）におけるベランダの手摺りへ固定支持具を介して昇降自在に取り付けられた支柱から片持ち状態として、ほぼ水平や斜めに張り出す物干し竿受け板へ、アダプターの取付ベースを着脱自在に取り付け固定し、そのアダプターの脚受け筒へ物干しハンガーの中棒脚を上方から抜き差し自在に差し込み使用することにより、上記物干し竿受け管や物干し竿受け板の言わば上部空間を物干し場所として、これらから起立する物干しハンガーのハンガーアームやクリップへ、洗濯物を吊り下げて干すことができる。
【００２９】
その場合、上記物干し竿受け管や物干し竿受け板がたとえ傾斜した姿勢状態にあっても、アダプターにおける取付ベースと脚受け筒との組立交叉角度を調整することにより、そのアダプターの脚受け筒を常に垂直の姿勢状態に保って、その脚受け筒へ上方から物干しハンガーの中棒脚を差し込み使用することができるのである。
【００３０】
つまり、多量の洗濯物を干したい場合に、その物干し竿から吊り下げ使用できる物干しハンガーの個数がたとえ満杯になっても、新らたな物干し竿やその支柱などを増設する必要なく、上記庭やベランダなどの限られた狭いスペースに既設されている上記物干し竿受け管又は物干し竿受け板をそのまま有効に利用し、これらに本発明の上記アダプターと物干しハンガーを取り付け使用することにより、極力多量の洗濯物を短時間での効率良く乾燥させることができるのである。
【００３１】
しかも、その洗濯物が少量である場合には、上記物干しハンガーの中棒脚をアダプターの脚受け筒から抜き取るか、或いはアダプターの取付ベースさえも上記支柱の物干し竿受け管又は物干し竿受け板から取りはずせば良いので、使用上の利便性や臨機応変性にも優れる。
【００３２】
請求項２や請求項４の構成を採用するならば、そのアダプターにおける取付ベースと脚受け筒との組立交叉角度を調整することにより、上記物干し竿受け管又は物干し竿受け板が万一傾斜した姿勢状態にある場合でも、そのアダプターの脚受け筒を常に垂直の姿勢状態として、これに差し込み使用される物干しハンガーの中棒脚を、安定な垂立状態に維持することができ、そのための上記調整操作も容易に行なえる効果がある。
【００３３】
その場合、請求項３の構成を採用するならば、上記地面に据え立てられた支柱の上端部から屈曲する物干し竿受け管に対するアダプターの取付ベースは、これをその物干し竿受け管へ抱き付く開閉自在に枢支連続された挟持クランプとして形作り、他方上記ベランダの手摺りに取り付けられた昇降可能な支柱から片持ち状態に張り出す物干し竿受け板に対するアダプターの取付ベースは、これをその物干し竿受け板へ差し込み固定できるリップ付きチャンネル溝形のカバーとして形作ることにより、アダプターと延いてはその脚受け筒へ差し込み使用される物干しハンガーが、不慮に遊転したり、振れ動いたり、或いは滑り降りたりするおそれを防止でき、安定な固定状態に保てる効果がある。
【００３４】
請求項５の構成を採用するならば、物干しハンガーにおける中棒脚の下端部に設けられた吊り環又は水平な貫通孔へ、同じく中棒脚を具備した本発明の物干しハンガーは勿論のこと、その中棒脚を具備しない公知の物干しハンガーや、金属線材、木材又は／及びプラスチック材からほぼ三角枠状に造形された公知の衣料用ハンガーであっても、継ぎ足し状態に連結使用することができ、洗濯物の増量に対する臨機応変性と、限られた狭いスペースの有効利用にますます役立つ。
【００３５】
また、請求項６の構成を採用するならば、物干しハンガーの中棒脚をアダプターの脚受け筒へ差し込み使用する際、その握り持ち手を詰めて負傷するおそれがなくなり、安全性の向上に役立つ。
【００３６】
請求項７の構成を採用するならば、洋傘を応用した手動開閉式又は折りたたみ式の物干しハンガーとして、その傘骨又は所謂蛸足の如く放射状に張り出す多数のハンガーアームを、昇降下ロクロの押し上げ操作又は引き下げ操作により、一挙同時に展開又は折りたたむことができ、使用上の利便性がますます向上する。
【００３７】
その場合、請求項８の構成を採用するならば、物干しハンガーにおける多数のハンガーアームを昇降下ロクロ側の受け止め凹溝内へ受け止めることにより、全体の整列された伏倒折りたたみ状態に保てる効果がある。
【図面の簡単な説明】
【００３８】
【図１】本発明に係る物干し用具セットの使用状態を示す斜面図である。
【図２】本発明に係る物干し用具セットの別な使用状態を示す斜面図である。
【図３】物干し竿受け管への取り付け用アダプターを示す斜面図である。
【図４】図３の正面図である。
【図５】図４の５−５線断面図である。
【図６】アダプターの交叉角度調整状態を示す正面図である。
【図７】図３に対応するアダプターの変形実施例を示す分解状態の斜面図である。
【図８】図７の組立状態を示す正面図である。
【図９】図８の９−９線断面図である。
【図１０】図８の１０−１０線断面図である。
【図１１】図８のアダプターの使用状態を示す正面図である。
【図１２】そのアダプターの交叉角度調整状態を示す正面図である。
【図１３】物干し竿受け板への取り付け用アダプターを示す斜面図である。
【図１４】そのアダプターの交叉角度調整状態を示す正面図である。
【図１５】図１４の１５−１５線断面図である。
【図１６】図１３に対応するアダプターの変形実施例を示す分解状態の斜面図である。
【図１７】図１６の組立状態を示す正面図である。
【図１８】図１７の１８−１８線断面図である。
【図１９】図１７の１９−１９線断面図である。
【図２０】図１７のアダプターの使用状態を示す正面図である。
【図２１】そのアダプターの交叉角度調整状態を示す正面図である。
【図２２】図１から抽出した物干しハンガーの基本実施例を示す正面図である。
【図２３】図２２の平面図である。
【図２４】図２３の２４−２４線断面図である。
【図２５】図２４の２５−２５線拡大断面図である。
【図２６】図２４の２６−２６線拡大断面図である。
【図２７】図２４の２７−２７線拡大断面図である。
【図２８】物干しハンガーのハンガーアームを折りたたんだ状態の正面図である。
【図２９】同じくハンガーアームを折りたたんだ状態の断面図である。
【図３０】図２９の３０−３０線断面図である。
【図３１】複数の物干しハンガーを継ぎ足し使用した状態の正面断面図である。
【図３２】物干しハンガーの変形実施例を示す斜面図である。
【図３３】図３２の正面図である。
【図３４】物干しハンガーの別な変形実施例を示す斜面図である。
【発明を実施するための形態】
【００３９】
以下、図面に基いて本発明の実施形態を詳述すると、その本発明の物干し用具セットは図１に示すような物干し竿（１０）に吊り下げ使用する物干しハンガー（Ｈ）と、その物干しハンガー（Ｈ）を地面への据え立て支柱（１１）から連続的に屈曲する物干し竿受け管（１２）か、又は図２に示すようなベランダの手摺り（１３）に付設された昇降可能な支柱（１４）から片持ち状態に張り出す物干し竿受け板（１５）へ、各々取り付け使用するアダプター（Ａ）との組から成り立っている。
【００４０】
先ず、アダプター（Ａ）は上記物干し竿受け管（１２）又は物干し竿受け板（１５）への取付ベース（Ｂ）と、物干しハンガー（Ｈ）の後述する中棒脚を受け入れる脚受け筒（１６）とを備えており、その取付ベース（Ｂ）と脚受け筒（１６）とが一定角度（θ）（例えば約９０度や約４５度）だけ交叉した組立状態にある。
【００４１】
つまり、戸建て住宅の庭やベランダ、その他の地面へ、コンクリートブロック（１７）によって据え立て固定される支柱（１１）は、ステンレス鋼管や防錆処理された鉄管などの金属管から、図１のようなほぼ倒立Ｌ字形やほぼＴ字形に屈曲形成されており、そのほぼ水平な物干し竿受け管（１２）の就中円弧受け片（１２ａ）によって、物干し竿（１０）を受け持つようになっている関係上、その物干し竿受け管（１２）に対応するアダプター（Ａ）の取付ベース（Ｂ）は、これを図３〜６のような物干し竿受け管（１２）へ抱き付く半割り円弧状の挟持クランプ（１８ａ）（１８ｂ）として、枢支点（開閉ヒンジ）（１９）により開閉できるように連続させ、蝶ボルト（２０）とその固定ナット（２１）により締め付け閉合して、上記支柱（１１）の物干し竿受け管（１２）へ固定使用し得るように形作るのである。
【００４２】
そして、上記支柱（１１）の上端部から連続的に屈曲している物干し竿受け管（１２）は、地面の凹凸や経年使用中の変形などに起因して、傾斜した姿勢状態になることもあるため、図３〜６に示す如く、互いに同じ半径での回動軌跡上に沿って点在分布する複数の円形又は楕円形角度調整孔（２２ａ）（２２ｂ）が開口形成された別個な一対の円形角度調整板（２３ａ）（２３ｂ）を、上記アダプター（Ａ）の取付ベース（Ｂ）となる挟持クランプ（１８ａ）（１８ｂ）側と、同じくアダプター（Ａ）の脚受け筒（１６）側との双方に溶接一体化しておき、その両角度調整板（２３ａ）（２３ｂ）の何れか一方を他方との相対的に回動させて、互いに合致連通した角度調整孔（２２ａ）（２２ｂ）へ、貫通ボルト（２４）を抜き差し自在に差し込み、その先端部へ固定ナット（２５）を締結することにより、上記支柱（１１）の物干し竿受け管（１２）がたとえ傾斜した姿勢状態にあっても、アダプター（Ａ）の脚受け筒（１６）を図６のような常時垂直の姿勢状態に保つべく、その取付ベース（Ｂ）に対する組立交叉角度（θ）の調整可能に定めるのである。（Ｐ）は両角度調整板（２３ａ）（２３ｂ）の回動枢軸であり、その円形中心同士の組立軸を兼ねている。
【００４３】
また、図７〜１２は図３〜６の変形実施例を示しており、これでは上記アダプター（Ａ）の取付ベース（Ｂ）をその円弧面（２６）が上記支柱（１１）の物干し竿受け管（１２）へ抱き付く互いに同じ一対の挟持板（２７ａ）（２７ｂ）として、複数（図例では４本）の貫通ボルト（２８）と固定ナット（２９）により締め付けることができるように対応形成すると共に、その両挟持板（２７ａ）（２７ｂ）における何れか一方の円弧面（２６）から一定間隔（Ｒ）を保って、前後一対のスタッドボルト（３０）（３１）を平行に突設している。（３２）はそのスタッドボルト（３０）（３１）の先端部に各々締結する固定ナットである。
【００４４】
そして、このような取付ベース（Ｂ）側から突出する一方のスタッドボルト（３０）を受け入れる回動中心孔（３３）と、同じく他方のスタッドボルト（３１）を受け入れ選択する複数（図例では９個）の角度調整孔（３４）とが開口分布されたほぼ半円形角度調整板（３５）のストレートな基端縁部を、上記アダプター（Ａ）の脚受け筒（１６）側へ図示のように溶接一体化している。
【００４５】
そうすれば、上記角度調整板（３５）の回動中心孔（３３）に受け入れた一方のスタッドボルト（３０）を枢支点とし、上記スタッドボルト（３０）（３１）同士の一定間隔（Ｒ）を回動半径として、その角度調整板（３５）を上記取付ベース（Ｂ）との相対的に回動させた後、上記枢支点となる一方のスタッドボルト（３０）と、複数の角度調整孔（３４）へ択一的に受け入れた他方のスタッドボルト（３１）とに、各々固定ナット（３２）を締結することによって、やはり物干し竿受け管（１２）が万一傾斜した姿勢状態にあっても、アダプター（Ａ）の脚受け筒（１６）を図１２のような常時垂直の姿勢状態に保つべく、その取付ベース（Ｂ）に対する組立交叉角度（θ）の調整を行なうことができる。尚、他方のスタッドボルト（３１）を受け入れる角度調整孔（３４）は、その円形丸孔の複数に代る１個の円弧状長孔として開口形成してもさしつかえない。
【００４６】
他方、マンション（集合住宅）におけるベランダの手摺り（１３）へ固定支持具（３６）を介して、昇降自在に取り付けられた支柱（１４）の上端部からは、図２や図１４のような複数の物干し竿受け口（３７）を有するアルミやステンレス鋼などから成る物干し竿受け板（１５）が、ほぼ水平や先端側（ベランダの内側）へ行く程高くなる斜めの片持ち状態に張り出している関係上、その物干し竿受け板（１５）に対応するアダプター（Ａ）の取付ベース（Ｂ）は、これを図１３〜１５のような物干し竿受け板（１５）へ張り出し先端側から抜き差し自在に差し込み套嵌するリップ付きチャンネル溝形のカバー（３８）として、好ましくは蝶ボルト（３９）により押し付け、その物干し竿受け板（１５）へ固定使用できるように形作るのである。そうすれば、たとえ先端側へ行く程細く（幅狭く）なる物干し竿受け板（１５）であっても、これに蝶ボルト（３９）を介して、上記アダプター（Ａ）のリップ付きチャンネル溝形カバー（３８）を確実に位置決め固定することができる。
【００４７】
そして、先端側（ベランダの内側）へ行く程高くなる斜めの片持ち状態に張り出しているマンション用物干し竿受け板（１５）も存在するため、図１３〜１５に示す如く、互いに同じ半径での回動軌跡上に沿って点在分布する複数の円形又は楕円形角度調整孔（４０ａ）（４０ｂ）が開口形成された別個な一対の円形角度調整板（４１ａ）（４１ｂ）を、上記アダプター（Ａ）の取付ベース（Ｂ）となるリップ付きチャンネル溝形カバー（３８）側と、同じくアダプター（Ａ）の脚受け筒（１６）側との双方に溶接一体化しておき、その両角度調整板（４１ａ）（４１ｂ）の何れか一方を他方との相対的に回動させて、互いに合致連通した角度調整孔（４０ａ）（４０ｂ）へ、貫通ボルト（４２）を抜き差し自在に差し込み、その先端部へ固定ナット（４３）を締結することにより、上記支柱（１４）の物干し竿受け板（１５）がたとえ傾斜した姿勢状態にあっても、アダプター（Ａ）の脚受け筒（１６）を図１４のような常時垂直の姿勢状態に保つべく、その取付ベース（Ｂ）に対する組立交叉角度（θ）の調整可能に定めるのである。（Ｏ）は両角度調整板（２３ａ）（２３ｂ）の回動枢軸であり、その円形中心同士の組立軸を兼ねている。
【００４８】
また、図１６〜２１は図１３〜１５の変形実施例を示しており、これではアダプター（Ａ）の取付ベース（Ｂ）を上記支柱（１４）の物干し竿受け板（１５）へ、その先端側から抜き差し自在に差し込み套嵌できる角筒形のカバー（４４）として、その物干し竿受け板（１５）へ好ましくは上方から複数（図例では前後一対の２本）のボルト（４５）により押し付け固定できるように対応形成すると共に、そのカバー（４４）の片側面（垂直面）から一定間隔（Ｒ）を保って、前後一対のスタッドボルト（４６）（４７）を平行に突設している。（４８）はそのスタッドボルト（４６）（４７）の先端部に各々締結する固定ナットである。
【００４９】
そして、このような取付ベース（Ｂ）側から突出する一方のスタッドボルト（４６）を受け入れる回動中心孔（４９）と、同じく他方のスタッドボルト（４７）を受け入れ選択する複数（図例では９個）の角度調整孔（５０）とが開口分布されたほぼ半円形角度調整板（５１）のストレートな基端縁部を、上記アダプター（Ａ）の脚受け筒（１６）側へ図示のように溶接一体化している。
【００５０】
そうすれば、上記角度調整板（５１）の回動中心孔（４９）に受け入れた一方のスタッドボルト（４６）を枢支点とし、上記スタッドボルト（４６）（４７）同士の一定間隔（Ｒ）を回動半径として、その角度調整板（５１）を上記取付ベース（Ｂ）との相対的に回動させた後、上記枢支点となる一方のスタッドボルト（４６）と、複数の角度調整孔（５０）へ択一的に受け入れた他方のスタッドボルト（４７）とに、各々固定ナット（４８）を締結することによって、やはり上記支柱（１４）の物干し竿受け板（１５）がたとえ傾斜した姿勢状態にあっても、アダプター（Ａ）の脚受け筒（１６）を図２１のような常時垂直の姿勢状態に保つべく、その取付ベース（Ｂ）に対する組立交叉角度（θ）の調整を行なえるのである。尚、他方のスタッドボルト（４７）を受け入れる角度調整孔（５０）は、その円形丸孔の複数に代る１個の円弧状長孔として開口形成しても良い。
【００５１】
次に、物干しハンガー（Ｈ）は物干し竿（１０）への吊り掛けフック（５２）と、そのフック（５２）から吊り下がる１個又は複数のハンガーアーム（５３）と、その各ハンガーアーム（５３）に付属する洗濯物挟持用クリップ（５４）とを具備しているが、特にその吊り掛けフック（５２）からは中棒脚（５５）が一定長さだけ垂下されており、その中棒脚（５５）を図１、２のように上記アダプター（Ａ）側の脚受け筒（１６）へ、上方から抜き差し自在に差し込み使用できるようになっている。
【００５２】
その場合、物干しハンガー（Ｈ）の吊り掛けフック（５２）と中棒脚（５５）とは連続一体品として作成しても、或いは相互の固定状態に組み立ててもさしつかえないが、同一垂直中心線上での相対回動し得る枢支状態に咬み合わせることが好ましい。
【００５３】
図２２〜３０は上記物干しハンガー（Ｈ）の基本実施例（所謂蛸足タイプ）を示しており、これでは洋傘を応用した手動開閉式又は折りたたみ式として、吊り掛けフック（５２）の下端部（根元部）又は中棒脚（５５）の上端部に固定上ロクロ（５６）を設け、その上ロクロ（５６）の円形周縁部へ放射状ハンガーアーム（５３）の根元部を、各々起伏的な回動自在に枢着している。
【００５４】
（５７）はその各ハンガーアーム（５３）毎の水平な枢支ピンであるが、その１本づつの採用に代えて、複数のハンガーアーム（５３）全体に共通する１本の枢支線材（図示省略）が採用されることもある。各ハンガーアーム（５３）の先端部や中間部に付属するクリップ（５４）は、そのハンガーアーム（５３）との連続一体に曲げ起し形成される代りに、別個独立品として各ハンガーアーム（５３）へ開閉自在に枢着されたり、或いは吊り下げられたりすることもある。
【００５５】
また、（５８）は上記中棒脚（５５）の中途高さ位置へスライド自在に差し込み套嵌された昇降下ロクロであり、その上端円形周縁部と各ハンガーアーム（５３）における中間部との相互間が、そのハンガーアーム（５３）よりも短かいアーム支持骨（５９）を介して枢支連結されている。（６０）はその各アーム支持骨（５９）の上端部枢支ピン、（６１）は同じく下端部枢支ピンであるが、これに代る１本の枢支線材（図示省略）が採用されることもある。
【００５６】
そのため、上記昇降下ロクロ（５８）を手動式に押し上げ操作すれば、図２２〜２４のように、複数のハンガーアーム（５３）が固定上ロクロ（５６）から放射方向へ、ほぼ水平な張り出し状態に展開する一方、同じく昇降下ロクロ（５８）を引き下げ操作すれば、図２８、２９のように、上記ハンガーアーム（５３）が悉くほぼ垂直の伏倒状態に折りたたまれる結果となる。
【００５７】
（６２）は上記昇降下ロクロ（５８）の下端部から連続的に張り出す比較的径小な円形フランジであり、昇降下ロクロ（５８）の押し上げ操作時、その円形フランジ（６２）が図２２、２４のように下方から上ハジキ（６３）の爪部（６４）により受け止められて、上記昇降下ロクロ（５８）の不慮な下降と延いてはハンガーアーム（５３）の不慮な折りたたみを防ぐようになっている。上ハジキ（６３）は板バネから成り、上記中棒脚（５５）の中空内部に組み込まれているが、その爪部（６４）だけが中棒脚（５５）に切り欠かれた出没孔（６５）から、常時露出する付勢状態にある。
【００５８】
更に、同じく昇降下ロクロ（５８）の中途高さ位置からは上記円形フランジ（６２）よりも径大な円形フランジ（６６）が連続的に張り出されており、その先端周縁部には上記ハンガーアーム（５３）と対応する個数のアーム受け止め凹溝（６７）が切り欠かれている。上記昇降下ロクロ（５８）の引き下げ操作によりほぼ垂直の伏倒状態に折りたたまれたハンガーアーム（５３）の各個が、図２９、３０に示す如く、その下ロクロ（５８）側のアーム受け止め凹溝（６７）内に受け止められて、整然と安定良く保持されるようになっている。
【００５９】
（６８）は上記昇降下ロクロ（５８）における径大な円形フランジ（６６）と径小な円形フランジ（６２）との上下相互間に切り欠かれた爪部受け入れ係止孔であり、昇降下ロクロ（５８）の引き下げ操作時に下ハジキ（６９）の爪部（７０）が、その下ロクロ（５８）の爪部受け入れ係止孔（６８）へ受け入れ係止されることによって、下ロクロ（５８）の不慮な上昇と延いてはハンガーアーム（５３）の不慮な張り出し展開を防ぐようになっている。
【００６０】
尚、下ハジキ（６９）も上ハジキ（６３）と同じく板バネから成り、やはり中棒脚（５５）の中空内部に組み込まれているが、その中棒脚（５５）の出没孔（７１）から常時露出している押ボタン（７２）の押し込み操作により、下ハジキ（６９）の爪部（７０）がその出没孔（６５）から上記爪部受け入れ係止孔（６８）へ出没することになる。
【００６１】
（７３）は上記中棒脚（５５）における下ハジキ（６９）よりも下方位置から外向き一体的に張り出された差込み深さ規制ストッパーであり、物干しハンガー（Ｈ）の中棒脚（５５）を上記アダプター（Ａ）側の脚受け筒（１６）へ上方から差し込んだ時、そのストッパー（７３）が脚受け筒（１６）の開口上縁部へ係止するようになっている。
【００６２】
この点、図例では上記ストッパー（７３）を円形フランジとして、中棒脚（５５）と一体成形することにより、握り持ち手を詰めないようになっているが、そのストッパー（７３）をノックピンとして、中棒脚（５５）へ水平に串刺し貫通させても良く、また上記ストッパー（７３）を物干しハンガー（Ｈ）側の中棒脚（５５）から外向き一体的に張り出す構成に代えて、アダプター（Ａ）側における脚受け筒（１６）の下端部（底部）から内向き一体的に張り出して、そのストッパー（７３）により中棒脚（５５）を下方から受け止めるように構成してもさしつかえない。その場合でも脚受け筒（１６）の下端部（底部）には、水抜き用の小孔（図示省略）を確保しておくことが望ましい。
【００６３】
（７４）は上記中棒脚（５５）の下端部に形成された水平な貫通孔であり、ここへ図３１のように別個な物干しハンガー（Ｈ）の吊り掛けフック（５２）を係脱自在に係止させることによって、複数の物干しハンガー（Ｈ）を継ぎ足し使用することもできるようになっている。但し、上記水平な貫通孔（７４）に代る吊り環（図示省略）を、同じく中棒脚（５５）の下端部へ回動自在に枢着しても良い。
【００６４】
尚、茲に別個な物干しハンガー（Ｈ）としては中棒脚（５５）を具備した本発明のそれのみならず、その中棒脚（５５）を具備していない公知の物干しハンガーや、金属線材、木材又は／及びプラスチック材からほぼ三角枠状に形作られた公知の衣料用ハンガーも含まれる。
【００６５】
次に図３２、３３は上記物干しハンガー（Ｈ）の変形実施例を示しており、これもハンガーアーム（５３）の折りたたみ式であると言えるが、そのハンガーアーム（５３）は傘骨又は所謂蛸足のように放射方向へ多数張り出しておらず、その平面視の対称な四角枠状をなす２個一対として、その平行に延在する根元軸部（７５）（７５）が共通の中央軸受け盤（７６）を介して枢支連結されている。
【００６６】
つまり、一対のハンガーアーム（５３）が中央軸受け盤（７６）により軸受けされた根元軸部（７５）（７５）を各々水平中心線として、起伏的な回動作用を行ない、図３２や図３３の実線で示すほぼ水平な展開状態と、図３３の鎖線で示すほぼ垂直に起立する折りたたみ状態とを得られるようになっている。
【００６７】
そして、その両ハンガーアーム（５３）から多数の洗濯物挟持用クリップ（５４）が吊り下げられている。また、上記物干しハンガー（Ｈ）の吊り掛けフック（５２）からは先の基本実施例と同じく、中棒脚（５５）が一定長さだけ垂下しており、その中途高さ位置は上記中央軸受け盤（７６）での軸受け状態にある。但し、その中棒脚（５５）と中央軸受け盤（７６）とは連続一体に形成しても良い。
【００６８】
（７７）は上記吊り掛けフック（５２）の下端部（根元部）又は中棒脚（５５）の上端部と、両ハンガーアーム（５３）の周縁部とを各々連結する複数づつの吊持チエン又は吊持線材であり、これによって両ハンガーアーム（５３）をほぼ水平な展開状態に保っている。上記中棒脚（５５）の下端部付近から、差込み深さ規制ストッパー（７３）が外向き一体的に張り出されていることや、同じく中棒脚（５５）の下端部に別個な物干しハンガーの継ぎ足し用貫通孔（７４）又は吊り環（図示省略）が設けられていることは、図２２〜３１の上記基本実施例と異ならない。
【００６９】
更に、図３４は物干しハンガー（Ｈ）の別な変形実施例を示しており、これではハンガーアーム（５３）を折りたたみ又は開閉することができず、その平面視の四角枠状又はリング状をなす１個が、図３２、３３の上記変形実施例に準じて、吊り掛けフック（５２）の下端部（根元部）又は中棒脚（５５）の上端部から放射方向へ張り出す複数の吊持チエン又は吊持線材（７７）により、ほぼ水平な展開状態に保たれていると共に、その１個のハンガーアーム（５３）から多数の洗濯物挟持用クリップ（５４）が吊り下げられている。
【００７０】
しかも、吊り掛けフック（５２）からはやはり中棒脚（５５）が一定長さだけ垂下しており、その下端部付近からは差込み深さ規制ストッパー（７３）が外向き一体的に張り出されているほか、同じく中棒脚（５５）の下端部には別個な物干しハンガーの継ぎ足し用貫通孔（７４）又は吊り環（図示省略）が設けられてもいる。
【００７１】
このようなハンガーアーム（５３）の折りたたみ式又は開閉式ではない物干しハンガー（Ｈ）であっても、その吊り掛けフック（５２）から垂下する上記構成の中棒脚（５５）を具備する限り、本発明に係るアダプター（Ａ）との組をなす物干しハンガー（Ｈ）として、採用に値いする。
【００７２】
尚、図３２、３３の変形実施例と図３４の別な変形実施例に示した物干しハンガー（Ｈ）との組をなすアダプター（Ａ）の構成は、図２２〜３１の上記基本実施例に示した物干しハンガー（Ｈ）との組をなすそれと同じであり、図３〜２１に基いて説明したとおりである。
【００７３】
上記構成の物干し用具セットを使用するに当っては、戸建て住宅の庭やベランダ、その他の地面に据え立てられた支柱（１１）の上端部から屈曲する物干し竿受け管（１２）か、又は集合住宅（マンション）におけるベランダの手摺り（１３）へ固定支持具（３６）を介して、昇降自在に取り付けられた支柱（１４）の上端部から片持ち状態として張り出す物干し竿受け板（１５）へ、アダプター（Ａ）の取付ベース（Ｂ）を着脱自在に取り付け固定して、その取付ベース（Ｂ）との交叉組立状態にある脚受け筒（１６）を、上向き開口させておく。
【００７４】
特に、上記物干し竿受け管（１２）に対するアダプター（Ａ）の取付ベース（Ｂ）は、これを物干し竿受け管（１２）に抱き付く開閉可能な挟持クランプ（１８ａ）（１８ｂ）や別個な一対の挟持板（２７ａ）（２７ｂ）として、その挟持クランプ（１８ａ）（１８ｂ）や挟持板（２７ａ）（２７ｂ）を物干し竿受け管（１２）へ、各々ボルト（２０）（２８）とナット（２１）（２９）により締め付け固定する一方、上記物干し竿受け板（１５）に対するアダプター（Ａ）の取付ベース（Ｂ）は、これを物干し竿受け板（１５）へその張り出し先端部から差し込めるリップ付きチャンネル溝形のカバー（３８）や角筒形のカバー（４４）として、そのカバー（３８）（４４）を物干し竿受け板（１５）へボルト（３９）（４５）により押し付け固定し、何れにしても不慮に遊転したり、振れ動いたり、滑り降りたりしない取付状態に保つ。
【００７５】
そして、上記アダプター（Ａ）と別個に用意された物干しハンガー（Ｈ）のハンガーアーム（５３）やその付属するクリップ（５４）へ、衣料やタオル、靴下、その他の各種洗濯物（図示省略）を吊り掛け、その吊り掛け作業と相前後して、物干しハンガー（Ｈ）の中棒脚（５５）を上記アダプター（Ａ）の脚受け筒（１６）へ、図１、２や図６、１１、１２、１４、１５、２０、２１に示す如く、上方から抜き差し自在に差し込み使用するのである。このような使用法は図２２〜３１に示した物干しハンガー（Ｈ）の基本実施例のみに限らず、図３２、３３の変形実施例や図３４の別な変形実施例に示した物干しハンガー（Ｈ）でも実質的に同じである。
【００７６】
本発明の物干し用具セットを上記のように使用すれば、上記物干し竿受け管（１２）又は物干し竿受け板（１５）に支持されたほぼ水平な物干し竿（１０）から吊り下がる物干しハンガー（本発明のそれのみならず、従来公知の物干しハンガーや衣料用ハンガーも含む。）の個数が言わば満杯になっても、その既設の物干し竿受け管（１２）又は物干し竿受け板（１５）を有効に利用して、これからの起立状態に差し込まれた物干しハンガー（Ｈ）のハンガーアーム（５３）やクリップ（５４）へ、多量の洗濯物を吊り下げて干すことができるのであり、新らたな物干し竿（１０）やその支柱（１１）（１４）などの増設を必要としない。
【００７７】
また、物干しハンガー（Ｈ）の吊り掛けフック（５２）から垂下する中棒脚（５５）の下端部に設けられた水平な貫通孔（７４）又は吊り環へ、同じく中棒脚（５５）を具備した本発明の物干しハンガー（Ｈ）や、その中棒脚（５５）が無い従来公知の物干しハンガー、金属線材やプラスチック材からほぼ三角枠状に造形された従来公知の衣料用ハンガーを、図３１のような継ぎ足し連結状態に使用することもでき、洗濯物の増量に便利良く対応し得る。
【００７８】
更に、洗濯物が少量である場合には、その物干しハンガー（Ｈ）の中棒脚（５５）をアダプター（Ａ）の脚受け筒（１６）から抜き取ったり、そのアダプター（Ａ）の取付ベース（Ｂ）さえも上記物干し竿受け管（１２）又は物干し竿受け板（１５）から取りはずしたりすれば良く、洗濯物の多少に応じた臨機応変の使い方を行なえ、限られた狭いスペースを無駄なく利用できるのである。
【符号の説明】
【００７９】
（１０）・物干し竿
（１１）（１４）・支柱
（１２）・物干し竿受け管
（１２ａ）・円弧受け片
（１３）・手摺り
（１５）・物干し竿受け板
（１６）・脚受け筒
（１７）・コンクリートブロック
（１８ａ）（１８ｂ）・挟持クランプ
（１９）・開閉ヒンジ
（２０）（３９）・蝶ボルト
（２１）（２５）（２９）（３２）（４３）（４８）・固定ナット
（２２ａ）（２２ｂ）（３４）（４０ａ）（４０ｂ）（５０）・角度調整孔
（２３ａ）（２３ｂ）（３５）（４１ａ）（４１ｂ）（５１）・角度調整板
（２４）（２８）（４２）・貫通ボルト
（２６）・円弧面
（２７ａ）（２７ｂ）・挟持板
（３０）（３１）（４６）（４７）・スタッドボルト
（３３）（４９）・回動中心孔
（３６）・固定支持具
（３７）・物干し竿受け口
（３８）・リップ付きチャンネル溝形のカバー
（４４）・角筒形のカバー
（４５）・ボルト
（５２）・吊り掛けフック
（５３）・ハンガーアーム
（５４）・クリップ
（５５）・中棒脚
（５６）・固定上ロクロ
（５７）・枢支ピン
（５８）・昇降下ロクロ
（５９）・アーム支持骨
（６０）・上端部枢支ピン
（６１）・下端部枢支ピン
（６２）（６６）・円形フランジ
（６３）・上ハジキ
（６４）（７０）・爪部
（６５）（７１）・出没孔
（６７）・アーム受け止め凹溝
（６８）・爪部受け入れ係止孔
（６９）・下ハジキ
（７２）・押ボタン
（７３）・差し込み深さ規制ストッパー
（７４）・貫通孔
（７５）・根元軸部
（７６）・中央軸受け盤
（７７）・吊持チエン
（Ａ）・アダプター
（Ｂ）・取付ベース
（Ｈ）・物干しハンガー
（Ｏ）（Ｐ）・回動枢軸
（Ｒ）・一定間隔（回動半径）
（θ）・交叉角度
【図１】
0005309112.tif 000002
【図２】
0005309112.tif 000003
【図３】
0005309112.tif 000004
【図４】
0005309112.tif 000005
【図５】
0005309112.tif 000006
【図６】
0005309112.tif 000007
【図７】
0005309112.tif 000008
【図８】
0005309112.tif 000009
【図９】
0005309112.tif 000010
【図１０】
0005309112.tif 000011
【図１１】
0005309112.tif 000012
【図１２】
0005309112.tif 000013
【図１３】
0005309112.tif 000014
【図１４】
0005309112.tif 000015
【図１５】
0005309112.tif 000016
【図１６】
0005309112.tif 000017
【図１７】
0005309112.tif 000018
【図１８】
0005309112.tif 000019
【図１９】
0005309112.tif 000020
【図２０】
0005309112.tif 000021
【図２１】
0005309112.tif 000022
【図２２】
0005309112.tif 000023
【図２３】
0005309112.tif 000024
【図２４】
0005309112.tif 000025
【図２５】
0005309112.tif 000026
【図２６】
0005309112.tif 000027
【図２７】
0005309112.tif 000028
【図２８】
0005309112.tif 000029
【図２９】
0005309112.tif 000030
【図３０】
0005309112.tif 000031
【図３１】
0005309112.tif 000032
【図３２】
0005309112.tif 000033
【図３３】
0005309112.tif 000034
【図３４】
0005309112.tif 000035